(57)【要約】    【課題】  通常時において蛍光ランプを調光可能に点灯させ、しかも非常時の照明を適正に行えるようにした非常用照明器具用として好適な蛍光ランプ点灯装置を提供する。    【解決手段】  蛍光ランプ点灯装置１０は、バッテリ１と、通常時において交流電源電圧を整流してバッテリを充電する充電回路２と、通常時においては交流電源により付勢され、かつ非常時においてはバッテリにより付勢されて蛍光ランプを調光可能に点灯する常用・非常用共用形点灯回路３と、通常時および非常時のいずれにおいても蛍光ランプを初期照度補正制御の下で点灯するように常用・非常用共用形点灯回路を調光制御する制御手段５とを具備している。【選択図】    図１
2007172921.tif 000002
【特許請求の範囲】
【請求項１】
バッテリと；
通常時において交流電源電圧を整流してバッテリを充電する充電回路と；
通常時においては交流電源により付勢され、かつ非常時においてはバッテリにより付勢されて蛍光ランプを調光可能に点灯する常用・非常用共用形点灯回路と；
通常時および非常時のいずれにおいても蛍光ランプを初期照度補正制御の下で点灯するように常用・非常用共用形点灯回路を調光制御する制御手段と；
を具備していることを特徴とする蛍光ランプ点灯装置。
【請求項２】
バッテリと；
通常時において交流電源電圧を整流してバッテリを充電する充電回路と；
通常時においては交流電源により付勢され、かつ非常時においてはバッテリにより付勢されて蛍光ランプを調光可能に点灯する常用・非常用共用形点灯回路と；
通常時においては蛍光ランプを初期照度補正制御の下で点灯するように常用・非常用共用形点灯回路を調光制御し、かつ非常時には初期照度補正制御機能を停止して蛍光ランプを点灯するように制御する制御手段と；
を具備していることを特徴とする蛍光ランプ点灯装置。
【請求項３】
バッテリと；
通常時において交流電源電圧を整流してバッテリを充電する充電回路と；
通常時においては交流電源により付勢され、かつ非常時においてはバッテリにより付勢されて蛍光ランプを調光可能に点灯する常用・非常用共用形点灯回路と；
通常時においては蛍光ランプを調光点灯するように常用・非常用共用形点灯回路を制御し、かつ非常時には調光機能を停止して蛍光ランプを点灯するように制御する制御手段と；
を具備していることを特徴とする蛍光ランプ点灯装置。
【請求項４】
通常時において交流電源により付勢されて蛍光ランプを調光可能に点灯する常用点灯回路と；
バッテリおよび通常時において交流電源電圧を整流してバッテリを充電する充電回路を備え、非常時においてバッテリにより付勢されて蛍光ランプを調光可能に点灯する非常用点灯ユニットと；
通常時および非常時のいずれにおいても蛍光ランプを初期照度補正制御の下で点灯するように常用点灯回路および非常用点灯ユニットを連携して調光制御する制御手段と；
を具備していることを特徴とする蛍光ランプ点灯装置。
【発明の詳細な説明】
【技術分野】
【０００１】
本発明は、蛍光ランプを光源とする非常用照明器具用として好適な蛍光ランプ点灯装置に関する。
【背景技術】
【０００２】
非常用照明器具は、非常時においてのみ点灯するように構成されたミニハロゲン電球または非常灯用電球からなる白熱電球を光源とするものと、通常時および非常時のいずれにおいても点灯できるように構成された蛍光ランプを光源とするものとがある。後者は、通常時において商用電源により付勢されて発生した高周波電圧で蛍光ランプを点灯する常用点灯装置と、非常時において通常時に充電されたバッテリにより付勢されて発生し高周波電圧で蛍光ランプを点灯する非常用点灯装置とを具備している（例えば、特許文献１参照。）。
【０００３】
また、常用点灯装置と非常用点灯装置とを共用形とした放電ランプ点灯装置も知られている（例えば、特許文献２参照。）。
【０００４】
一方、放電灯を点灯させるとともに放電灯への供給電力を制御可能な放電灯点灯装置と、この装置への給電時間を放電灯の点灯時間として計時する点灯時間タイマと、放電灯の点灯時間の経過に伴う光束低下を抑制するように点灯時間タイマにより計時された点灯時間に応じて放電灯への供給電力を放電灯点灯装置へ指示する照度補正装置とを一つの器具に備えて照明器具ごとに初期照度補正制御を行えるように構成した照明装置は、既知である（特許文献３参照。）。特許文献３においては、初期照度は予め所定の値、例えば７０％に設定されるように構成されている。
【０００５】
【特許文献１】特開平０５−２１７４０８号公報
【特許文献２】特開２００５−０３８７５４号公報
【特許文献３】特開昭６４−０８９２８７号公報
【発明の開示】
【発明が解決しようとする課題】
【０００６】
従来の非常用照明器具は、所定のランプ電力で点灯する蛍光ランプにより通常時の照明が行われていたため、初期照度補正制御や外部調光信号による調光制御を行うことができなかった。
【０００７】
本発明は、通常時において蛍光ランプを調光可能に点灯させ、しかも非常時の照明を適正に行えるようにした非常用照明器具用として好適な蛍光ランプ点灯装置を提供することを目的とする。
【課題を解決するための手段】
【０００８】
第１の発明の蛍光ランプ点灯装置は、バッテリと；通常時において交流電源電圧を整流してバッテリを充電する充電回路と；通常時においては交流電源により付勢され、かつ非常時においてはバッテリにより付勢されて蛍光ランプを調光可能に点灯する常用・非常用共用形点灯回路と；通常時および非常時のいずれにおいても蛍光ランプを初期照度補正制御の下で点灯するように常用・非常用共用形点灯回路を調光制御する制御手段と；を具備していることを特徴としている。
【０００９】
制御手段は、蛍光ランプを初期照度補正制御の下で点灯するように常用・非常用共用形点灯回路を調光制御する手段であるが、他の制御機能を併有していることを許容する。例えば、常用・非常用共用形点灯回路のゲート信号発生機能、調光制御機能および保護機能など常用・非常用共用形点灯回路中の制御部を兼ねている構成を採用することができる。なお、保護機能は、蛍光ランプの装着や寿命などを判定して必要な保護動作を行う機能である。
【００１０】
初期照度補正制御は、既知の構成を用いることができる。蛍光ランプは、使い始めの初期光束が最大値となるが、反対に寿命末期時には最低値となり、その間点灯時間の経過に伴って光束が徐々に減退していく。初期照度補正制御手段は、蛍光ランプの点灯初期から初期光束より少ない光束、例えば初期光束の７０％でほぼ一定になるように蛍光ランプを点灯時間の経過に応じて自動的に調光制御して点灯させることにより、蛍光ランプの初期照度を抑制するとともに、点灯時間の経過にかかわらず蛍光ランプによる照度を寿命末期までほぼ一定に維持する制御回路手段であるが、その具体的な回路構成は限定されない。
【００１１】
例えば、タイマ、メモリおよびプログラムを主体として初期照度補正制御回路を構成することができる。タイマは、蛍光ランプの点灯時間を計時する。なお、タイマは、ＩＣなどの個別のものを用いるだけでなく、蛍光ランプ点灯装置全体を制御するマイコンのタイマ機能、メモリ機能および演算機能を利用して初期照度補正制御回路を構成することができる。メモリは、予め設定した点灯時間ごとの調光レベルを記憶しており、随時読み出しができる。プログラムは、点灯時間に応じてメモリから所定の調光レベルを読み出して調光制御回路に制御入力させる。また、蛍光ランプを新品に交換した際には、初期照度補正制御回路をリセットして、初期照度補正制御を再度最初から行えるように構成される。リセット手段は、例えば操作スイッチなどにより構成すればよい。
【００１２】
第１の発明においては、通常時および非常時のいずれにおいても初期照度補正制御が行われるので、通常時および非常時を区別することなく継続して初期照度補正制御動作をするように構成する。このため、通常時および非常時を通じて省電力を図るとともに、非常時においてバッテリ出力を抑制することでバッテリの劣化を防止し、蛍光ランプを長時間点灯することができる。
【００１３】
第２の発明の蛍光ランプ点灯装置は、バッテリと；通常時において交流電源電圧を整流してバッテリを充電する充電回路と；通常時においては交流電源により付勢され、かつ非常時においてはバッテリにより付勢されて蛍光ランプを調光可能に点灯する常用・非常用共用形点灯回路と；通常時においては蛍光ランプを初期照度補正制御の下で点灯するように常用・非常用共用形点灯回路を調光制御し、かつ非常時には初期照度補正制御機能を停止して蛍光ランプを点灯するように制御する制御手段と；を具備していることを特徴としている。
【００１４】
第２の発明において、制御手段は、通常時にのみ初期照度補正制御を行い、非常時には初期照度補正制御機能を停止する。このため、非常時においては通常時に蛍光ランプを交換した際に、初期照度補正制御のリセットをし忘れた場合であっても、非常時には蛍光ランプが所定出力の点灯に切り換わり、充分な照度で非常照明を行うので、安全を確保しやすくなる。
【００１５】
第３の発明の蛍光ランプ点灯装置は、バッテリと；通常時において交流電源電圧を整流してバッテリを充電する充電回路と；通常時においては交流電源により付勢され、かつ非常時においてはバッテリにより付勢されて蛍光ランプを調光可能に点灯する常用・非常用共用形点灯回路と；通常時においては蛍光ランプを調光点灯するように常用・非常用共用形点灯回路を制御し、かつ非常時には調光機能を停止して蛍光ランプを点灯するように制御する制御手段と；を具備していることを特徴としている。
【００１６】
第３の発明において、蛍光ランプの調光点灯は、通常時においてのみ行うことができ、また例えば外部調光信号などに応じて行われる。このため、通常時に蛍光ランプが調光点灯していても、非常時には自動的に所定出力の点灯に切り換わる。したがって、非常時に充分な照度で非常照明を行うことができるので、安全を確保しやすくなる。
【００１７】
第４の発明の蛍光ランプ点灯装置は、通常時において交流電源により付勢されて蛍光ランプを調光可能に点灯する常用点灯回路と；バッテリおよび通常時において交流電源電圧を整流してバッテリを充電する充電回路を備え、非常時においてバッテリにより付勢されて蛍光ランプを調光可能に点灯する非常用点灯ユニットと；通常時および非常時のいずれにおいても蛍光ランプを初期照度補正制御の下で点灯するように常用点灯回路および非常用点灯ユニットを連携して調光制御する制御手段と；を具備していることを特徴としている。
【００１８】
本発明において、常用点灯回路と非常用点灯ユニットとはそれぞれ別の回路構成であるが、所望により配線基板は共通していることを許容する。
【００１９】
制御手段は、常用点灯回路と非常用点灯ユニットを連携して調光制御する。これは常用点灯回路および非常用点灯ユニットのいずれか一方から他方へ切り換えられる場合に、初期照度補正制御がそのまま継続して一方から他方へ引き継がれることを意味する。
【００２０】
したがって、第４の発明によれば、蛍光ランプは、通常時および非常時の区別なしに常に連続して初期照度補正制御の下で点灯する。また、常用点灯回路には大きな改変なしに一般照明用のものを使用できるので、コストダウンを図ることが可能になる。
【発明の効果】
【００２１】
第１ないし第４の発明によれば、通常時において蛍光ランプを調光可能に点灯させ、しかも非常時の照明を適正に行えるようにした非常用照明器具用として好適な蛍光ランプ点灯装置を提供することができる。
【００２２】
第１の発明によれば、通常時および非常時のいずれにおいても初期照度補正制御が行われるので、通常時および非常時を通じて光束がほぼ変化せず、省電力を図るとともに、非常時においてバッテリ出力を抑制することでバッテリの劣化を防止し、蛍光ランプを長時間点灯できる蛍光ランプ点灯装置を提供することができる。
【００２３】
第２の発明によれば、通常時にのみ初期照度補正制御を行い、非常時には初期照度補正制御機能を停止するので、非常時においては通常時に蛍光ランプを交換した際に、初期照度補正制御のリセットをし忘れた場合であっても、非常時には蛍光ランプが所定出力の点灯に切り換わり、充分な照度で非常照明を行うので、安全を確保しやすい蛍光ランプ点灯装置を提供することができる。
【００２４】
第３の発明によれば、通常時に蛍光ランプが調光点灯していても、非常時には自動的に所定出力の点灯に切り換わるので、非常時に充分な照度で非常照明を行うことができ、安全を確保しやすい蛍光ランプ点灯装置を提供することができる。
【００２５】
第４の発明によれば、通常時および非常時の区別なしに常に連続して初期照度補正制御の下で点灯するので、通常時および非常時を通じて省電力を図るとともに、非常時においてバッテリ出力を抑制することでバッテリの劣化を防止し、蛍光ランプを長時間点灯できるとともに、常用点灯回路には大きな改変なしに一般照明用のものを使用できるので、コストダウンを図ることが可能になる蛍光ランプ点灯装置を提供することができる。
【発明を実施するための最良の形態】
【００２６】
以下、図面を参照して本発明を実施するための形態を説明する。
【００２７】
図１は、本発明の蛍光ランプ点灯装置を実施するための第１の形態を示す回路ブロック図である。なお、本形態は、第１の発明に対応している。図において、蛍光ランプ点灯装置１０は、バッテリ１、充電回路２、常用・非常用共用形点灯回路３、常用・非常用切換手段４、制御手段５および蛍光ランプ６を具備して構成されている。なお、図中符号１１は商用交流電源である。
【００２８】
常用・非常用共用形点灯回路３は、通常時および非常時のいずれにおいても蛍光ランプ６を調光可能に点灯する回路手段であり、整流回路３ａ、チョッパ回路３ｂ、昇圧回路３ｃおよびインバータ回路３ｄを備えている。整流回路３ａは、商用交流電源１１から得られる商用交流電圧を直流電圧に変換する。チョッパ回路３ｂは、整流回路３ａの出力端から得られる直流電圧を所要の値に直流−直流間変換する。昇圧回路３ｃは、バッテリ１の直流電圧を所要の値まで昇圧する。インバータ回路３ｄは、通常時にチョッパ回路３ｂから得られる直流電圧により作動し、また非常時には昇圧回路３ｃから得られる直流電圧により作動し、インバータおよび点灯回路を含んでいる。
【００２９】
上記インバータは、チョッパ回路３ｂおよび昇圧回路３ｃの出力端からそれぞれ得られる直流電圧を高周波交流電圧に変換する回路手段であり、既知のどのような回路方式であってもよい。例えば、並列インバータ、ハーフブリッジインバータ、一石式インバータなどを用いることができる。また、インバータは、自励式および他励式のいずれであってもよい。
【００３０】
点灯回路は、インバータから得られる高周波電圧を蛍光ランプ６に印加して始動し、点灯させる回路手段であり、フィラメント電極の予熱回路、始動時に始動電圧を蛍光ランプ６に印加する始動回路および蛍光ランプ６に流れるランプ電流を所定値に限流するバラストなどを含むことができる。なお、バラストは、適当なインピーダンス、例えばインダクタンスからなる。インダクタンスをバラストとする場合、チョークコイルやトランスなどからなるインダクタを用いることができる。
【００３１】
また、常用・非常用共用形点灯回路３は、蛍光ランプ６を調光点灯するための図示しない調光制御手段を備えている。調光制御手段は、本形態においてチョッパ回路３ｂおよびインバータ回路３ｃのいずれかを制御するように構成することができる。チョッパ回路３ｂを制御する構成の場合には、例えば後述する制御手段５からの制御指令によりその昇圧レベルを変化する機能を付与することにより実現することができる。また、インバータ回路３ｃに組み込む場合には、例えば制御手段５からの制御指令に応じてインバータを間欠動作させることによって高周波交流電圧をＰＷＭ制御する機能を付与することにより実現することができる。
【００３２】
バッテリ１は、非常時に所定時間の間、非常用照明に必要な電力を常用・非常用共用形点灯回路４に供給し、通常時に充電される非常用電源である。バッテリ２には、ニッケル・カドミウム電池などを用いることができる。
【００３３】
充電回路２は、通常時にバッテリ１を充電するための回路手段であり、その入力端が整流回路３ａの直流出力端間に接続している。
【００３４】
常用・非常用切換手段４は、商用交流電源が遮断されたときに作動してバッテリ１を昇圧回路３ｃの入力端に接続する。
【００３５】
制御手段５は、初期照度補正制御機能を備えており、通常時および非常時のいずれにおいても蛍光ランプ６を初期照度補正制御の下で点灯するように常用・非常用共用形点灯回路４の調光制御手段を制御する。また、制御手段５は、常用・非常用共用形点灯回路４の制御を行うマイコンを利用して構成されている。
【００３６】
蛍光ランプ６は、通常時および非常時のいずれにおいても照明を行うための光源である。
そして、気密容器、一対の電極、蛍光体層および放電媒体を備えて構成されている。
【００３７】
気密容器は、気密性のガラス容器などからなり、その内部に放電路が形成される。
【００３８】
一対の電極は、放電路の両端に配設されるように気密容器に封装されている。また、一対の電極は、その少なくとも一方がフィラメントを備えている。フィラメントには電子放射性物質すなわちエミッタが担持され、フィラメントの赤熱により熱電子を放出するように構成されている。フィラメントは、その両端が導入線を介して気密容器の外部へ導出されているので、蛍光ランプの始動に先立ちフィラメント予熱電流が一対の導入線を経由してフィラメントに通流することによって予熱されて赤熱すると、電極が熱電子放射状態になるので、その結果蛍光ランプの始動が容易になる。
【００３９】
放電媒体は、水銀および希ガスなどからなり、気密容器の内部に封入されていて、放電時に紫外光を放射する。
【００４０】
蛍光体層は、気密容器の内面側に配設されており、放射された紫外光によって蛍光体層中の蛍光体が励起されると可視光などを発光して照明に寄与する。
【００４１】
図２は、本発明の蛍光ランプ点灯装置を実施するための第１の形態における常用・非常用共用形点灯回路を制御するためのフローチャートである。
【００４２】
すなわち、蛍光ランプ６が常用・非常用共用形点灯回路４により初期照度補正制御の下で通常点灯（通常時の点灯）中に、制御手段５は、商用交流電源が遮断された（Yes）か否（No）かについて常時監視する。そして、監視結果がNoのときには、通常点灯を継続する。監視結果がYesのときには、非常点灯（非常時の点灯）に切り換える。この場合、初期照度補正制御は通常点灯に引き続いて継続される。したがって、非常点灯中も蛍光ランプ６の点灯時間が制御手段５内に積算される。
【００４３】
次に、非常点灯に切り換えられると、制御手段５は、商用交流電源が復帰した（Yes）か否（No）かについて常時監視する。そして、監視結果がNoのときには、非常点灯を継続する。監視結果がYesのときには、通常点灯（常時の点灯）に切り換える。この場合、初期照度補正制御は非常点灯に引き続いて継続される。
【００４４】
したがって、本形態の蛍光ランプ点灯装置１０において、蛍光ランプ６は、通常時および非常時のいずれにおいても初期照度補正制御が行われる。
【００４５】
以下、図３ないし図７を参照して本発明のその他の形態について説明する。なお、描く図において、図１および図２と同一部分については同一符号を付して説明は省略する。
【００４６】
図３は、本発明の蛍光ランプ点灯装置を実施するための第２の形態を示す回路ブロック図である。本形態は、第２の発明に対応している。図において、蛍光ランプ点灯装置１０は、通常時の点灯においては初期照度補正制御を行い、非常時の点灯においては初期照度補正制御を行わないように構成されている。
【００４７】
本形態においては、図示のように昇圧回路３ｄが作動している間は、制御手段５が連動して初期照度補正制御機能を停止するように構成されている。しかし、上記の構成に代えて常用・非常用切換手段４に制御手段５が連動するように構成するのであってもよい。
【００４８】
図４は、本発明の蛍光ランプ点灯装置を実施するための第２の形態における常用・非常用共用形点灯回路を制御するためのフローチャートである。
【００４９】
すなわち、蛍光ランプ６が常用・非常用共用形点灯回路４により初期照度補正制御の下で通常点灯（通常時の点灯）中に、制御手段５は、商用交流電源が遮断された（Yes）か否（No）かについて常時監視する。そして、監視結果がNoのときには、通常点灯を継続する。監視結果がYesのときには、制御手段５の初期照度補正制御機能を停止し、かつ非常点灯（非常時の点灯）に切り換える。したがって、非常点灯中は蛍光ランプ６の点灯時間が制御手段５内に積算されない。しかし所望により、非常点灯中も蛍光ランプ６の点灯時間が制御手段５内に積算されるように構成することもできる。
【００５０】
次に、非常点灯に切り換えられると、制御手段５は、商用交流電源が復帰した（Yes）か否（No）かについて常時監視する。そして、監視結果がNoのときには、非常点灯を継続する。監視結果がYesのときには、初期照度補正制御機能を動作させ、かつ通常点灯（常時の点灯）に切り換える。この場合、初期照度補正制御は再び開始される。
【００５１】
したがって、本形態の蛍光ランプ点灯装置１０において、蛍光ランプ６は、通常時においてのみ初期照度補正制御が行われる。
【００５２】
図５は、本発明の蛍光ランプ点灯装置を実施するための第３の形態を示す回路ブロック図である。本形態は、第３の発明に対応している。
【００５３】
本形態において、制御手段５は、外部調光信号源７から送出された調光信号に応じて常用・非常用共用形点灯回路４の調光制御手段を制御して蛍光ランプ６を調光点灯させることができるように構成されている。しかし、常用・非常用切換手段４がバッテリ１を昇圧回路３ｄに接続すると、制御手段５がこれに連動して調光機能を停止するように構成されている。
【００５４】
図６は、本発明の蛍光ランプ点灯装置を実施するための第３の形態における常用・非常用共用形点灯回路を制御するためのフローチャートである。
【００５５】
すなわち、通常時において、蛍光ランプ６が常用・非常用共用形点灯回路４により通常点灯（通常時の点灯）中に、制御手段５は、商用交流電源が遮断された（Yes）か否（No）かについて常時監視する。そして、監視結果がNoのときには、通常点灯を継続する。監視結果がYesのときには、制御手段５の調光制御機能を停止し、かつ非常点灯（非常時の点灯）に切り換える。したがって、通常点灯時に調光点灯していたとしても、非常点灯時には１００％の明るさで蛍光ランプ６が点灯する。
【００５６】
次に、非常点灯に切り換えられると、制御手段５は、商用交流電源が復帰した（Yes）か否（No）かについて常時監視する。そして、監視結果がNoのときには、非常点灯を継続する。監視結果がYesのときには、初期照度補正制御機能を動作させ、かつ通常点灯（常時の点灯）に切り換える。この場合、蛍光ランプ６は非常点灯前の調光点灯状態に復帰する。
【００５７】
したがって、本形態の蛍光ランプ点灯装置１０において、蛍光ランプ６は、通常時においてのみ調光点灯を行うことができ、非常時には全光点灯を行う。
【００５８】
図７は、本発明の蛍光ランプ点灯装置を実施するための第４の形態を示す回路ブロック図である。本形態は、第４の発明に対応している。
【００５９】
本形態において、蛍光ランプ点灯装置１０´は、蛍光ランプ６を点灯する回路が常用点灯回路３Ａと非常用点灯ユニット３Ｂとに分離して構成されている。常用点灯回路３Ａは、通常時の点灯のために作動する。また、非常用点灯ユニット３Ｂは非常時の点灯のために作動する。
【００６０】
常用点灯回路３Ａは、整流回路３ａ、チョッパ回路３ｂおよびインバータ回路３ｃを備えて構成されている点において図１に示す第１の形態と同様である。
【００６１】
非常用点灯ユニット３Ｂは、図１に示すバッテリ１、充電回路２、昇圧回路３ｃおよび常用・非常用切換手段４と同様の構成を備えている他に、非常点灯用のインバータ回路３ｅを備えている。
【００６２】
制御手段５は、初期照度補正制御機能を備えており、通常時および非常時のいずれにおいても蛍光ランプ６を初期照度補正制御の下で点灯するように常用点灯回路３Ａと非常用点灯ユニット３Ｂとをともに制御する。また、制御手段５は、常用点灯回路３Ａまたは非常用点灯ユニット３Ｂの制御を行うマイコンを利用して構成されている。
【００６３】
そうして、本形態においては、図２に示すフローチャートとほぼ同様な制御が行われて通常時および非常時のいずれにおいても蛍光ランプ６を初期照度補正制御が常に継続して行われる。
【図面の簡単な説明】
【００６４】
【図１】本発明の蛍光ランプ点灯装置を実施するための第１の形態を示す回路ブロック図
【図２】本発明の蛍光ランプ点灯装置を実施するための第１の形態における常用・非常用共用形点灯回路を制御するためのフローチャート
【図３】本発明の蛍光ランプ点灯装置を実施するための第２の形態を示す回路ブロック図
【図４】本発明の蛍光ランプ点灯装置を実施するための第２の形態における常用・非常用共用形点灯回路を制御するためのフローチャート
【図５】本発明の蛍光ランプ点灯装置を実施するための第３の形態を示す回路ブロック図
【図６】本発明の蛍光ランプ点灯装置を実施するための第３の形態における常用・非常用共用形点灯回路を制御するためのフローチャート
【図７】本発明の蛍光ランプ点灯装置を実施するための第４の形態を示す回路ブロック図
【符号の説明】
【００６５】
１…バッテリ、２…充電回路、３…常用・非常用共用形点灯回路、３ａ…整流回路、３ｂ…チョッパ回路、３ｃ…昇圧回路、３ｄ、３ｅ…インバータ回路、４…常用・非常用切換手段、５…制御手段、６…蛍光ランプ、７…外部調光信号源、１０、１０´…蛍光ランプ点灯装置、１１…商用交流電源
【図１】
2007172921.tif 000003
【図２】
2007172921.tif 000004
【図３】
2007172921.tif 000005
【図４】
2007172921.tif 000006
【図５】
2007172921.tif 000007
【図６】
2007172921.tif 000008
【図７】
2007172921.tif 000009